【手続補正書】
【提出日】令和2年12月4日(2020.12.4)
【手続補正１】
【補正対象書類名】特許請求の範囲
【補正対象項目名】全文
【補正方法】変更
【補正の内容】
【特許請求の範囲】
【請求項１】
固定子の複数の歯の隣接する対間に形成された複数のギャップ内に電気伝導性巻線が巻回された前記固定子内の、熱伝導を改善するための方法であって、前記電気伝導性巻線を前記歯に巻回する間に、前記複数のギャップの各々内に複数の隙間空間が形成される、方法において、
複数の栓を提供することと、
前記栓の各々が、前記固定子歯の関連する対間の円周方向に受け入れられ、前記ギャップの関連する一つの径方向内側部分を閉鎖するように、前記栓の各々を、前記固定子歯の関連する対の遠位部分に係合させることと、
前記固定子の少なくとも一つの軸方向端から前記複数のギャップの各々の中に、熱伝導性フィラー化合物を注入することと、ここで、前記熱伝導性フィラー化合物は、前記複数のギャップの各々内の前記隙間空間を少なくとも実質的に充填するとともに前記電気伝導性巻線を少なくとも実質的に封入するのに十分な圧力下で、注入され、ここにおいて、前記栓は、径方向で内側方向に前記熱伝導性フィラー化合物が前記ギャップから移動することを妨げ、
前記固定子内で前記熱伝導性フィラー化合物を硬化させることと
を含む、方法。
【請求項２】
前記栓の各々は、前記前記固定子歯の前記関連する対に圧力嵌合される、請求項１に記載の方法。
【請求項３】
前記栓の各々は、前記固定子の前記軸方向端のうちの前記関連する一つから前記固定子にスライド可能に挿入される、請求項１に記載の方法。
【請求項４】
前記複数のギャップの各々に熱伝導性フィラー化合物を前記注入することが、前記固定子の両軸方向端の前記複数のギャップの各々に、熱伝導性の流動可能なフィラー化合物を注入することを備える、請求項１に記載の方法。
【請求項５】
前記固定子の前記両軸方向端において前記熱伝導性フィラー化合物を前記注入することが、同時に達成される、請求項４に記載の方法。
【請求項６】
前記熱伝導性フィラー化合物は、熱伝導性ポリマーである、
請求項１に記載の方法。
【請求項７】
前記固定子を、前記固定子の軸方向長さに沿った中間点に配設されるマニホールドプレートを用いて形成することと、前記マニホールドプレートが、複数のポートと、前記複数のポートおよび前記複数のギャップと連通する複数の通路とを含む、
前記複数のギャップを充填するために、前記複数のポートを通じて前記熱伝導性フィラー化合物を注入することと
をさらに備える、請求項１に記載の方法。
【請求項８】
前記複数のポートが前記マニホールドプレートの内周に沿って配設される、請求項７に記載の方法。
【請求項９】
前記複数のポートが前記マニホールドプレートの外周に沿って配設される、請求項７に記載の方法。
【請求項１０】
熱伝導性フィラー化合物を前記注入することが、それぞれがノズルを有する１対の注入ガンを使用することを備え、前記ノズルが、前記ギャップ内に一回につき１つずつ、前記固定子の両軸方向端から延在される、請求項１に記載の方法。
【請求項１１】
前記栓は、前記固定子内の概して連続した円周方向内面を成すために、歯と協同する、請求項１に記載の方法。
【請求項１２】
固定子の複数の歯の隣接する対間に形成された複数のギャップ内に電気伝導性巻線が巻回された前記固定子内の、熱伝導を改善するための方法であって、前記電気伝導性巻線を前記固定子歯に巻回する間に、前記ギャップの各々内に複数の隙間空間が形成される、方法において、
複数の熱伝導性栓を提供することと、
前記熱伝導性栓の各々を、前記固定子歯の関連する隣接対に係合させることと、ここで、前記固定子歯の前記関連する隣接する対の遠位端間の開口の径方向内側を完全に閉鎖するために、前記熱伝導性栓の各々は前記複数のギャップの関連する一つに受け入れられ、
前記複数のギャップの各々に、前記固定子の両軸方向端から、前記電気伝導性巻線を少なくとも実質的に封入するとともに前記複数のギャップの各々内の前記隙間空間を少なくとも実質的に充填するのに十分な圧力下で、流動可能な熱伝導性フィラー化合物を注入することと、を含み、ここにおいて、前記熱伝導性栓は、径方向で内側方向に前記熱伝導性フィラー化合物が前記ギャップから移動することを妨げる、
方法。
【請求項１３】
前記固定子内の前記熱伝導性フィラー化合物を硬化させることをさらに備える、請求項１２に記載の方法。
【請求項１４】
流動可能な熱伝導性フィラー化合物は、流動可能なポリマーを備える、請求項１２に記載の方法。
【請求項１５】
前記熱伝導性栓の各々は、前記固定子の軸方向端から前記ギャップの前記関連する一つにスライド可能に挿入され、および、前記熱伝導性栓の各々は、前記固定子歯の前記関連する隣接対に圧力篏合される、請求項１２に記載の方法。
【請求項１６】
流動可能な熱伝導性フィラー化合物を前記注入することが、前記流動可能な熱伝導性フィラー化合物を、前記固定子の前記両軸方向端において同時に注入することを備える、請求項１２に記載の方法。
【手続補正２】
【補正対象書類名】明細書
【補正対象項目名】００３０
【補正方法】変更
【補正の内容】
【００３０】
[0039]以上、さまざまな実施形態について説明されてきたが、本開示から逸脱することなく行われてよい修正または変形を、当業者なら認識するであろう。例はさまざまな実施形態を示しており、本開示を限定するようには意図されていない。したがって、説明および特許請求の範囲は、関連する従来技術に鑑みて必要な限定のみを伴って寛容に解釈されるべきである。
以下に、本願の出願当初の特許請求の範囲に記載された発明を付記する。
［Ｃ１］
固定子の複数の歯の隣接する対間に形成された複数のギャップ内に電気伝導性巻線が巻回された前記固定子内の、熱伝導を改善するための方法であって、前記電気伝導性巻線を前記歯に巻回する間に、前記ギャップの各々内に複数の隙間空間が形成される、方法において、
前記歯の隣接する対間の開口を閉鎖するために、前記ギャップのそれぞれ内に栓を配置することと、
各前記ギャップに、各前記ギャップ内の前記隙間空間を少なくとも実質的に充填するとともに前記電気伝導性巻線を少なくとも実質的に封入するのに十分な圧力下で、熱伝導性フィラー化合物を注入することと、
前記熱伝導性フィラー化合物を凝固させることと
を含む、方法。
［Ｃ２］
前記ギャップのそれぞれ内に栓を前記配置することが、熱伝導性材料から作製された栓を配置することを備える、Ｃ１に記載の方法。
［Ｃ３］
前記ギャップのそれぞれ内に栓を前記配置することが、弾性の熱伝導性材料から作製された栓を配置することを備え、前記栓が前記ギャップに圧力嵌合される、Ｃ１に記載の方法。
［Ｃ４］
前記ギャップのそれぞれ内に栓を前記配置することが、前記ギャップを閉鎖するために、前記複数の歯の隣接する対の遠位端部上に前記固定子の一方の軸方向端からスライド可能に挿入される熱伝導性栓を配置することを備える、Ｃ１に記載の方法。
［Ｃ５］
各前記ギャップに熱伝導性フィラー化合物を前記注入することが、各前記ギャップに前記固定子の両軸方向端において熱伝導性の流動可能なフィラー化合物を注入することを備える、Ｃ１に記載の方法。
［Ｃ６］
前記固定子の前記両軸方向端において前記熱伝導性フィラー化合物を前記注入することが、同時に達成される、Ｃ５に記載の方法。
［Ｃ７］
前記ギャップの各々に前記熱伝導性フィラー化合物を前記注入することが、前記固定子の一方の軸方向端から前記熱伝導性フィラー化合物を注入することによって達成され、
熱伝導性フィラー化合物を前記注入することが、流動可能状態にある熱伝導性ポリマーを注入することを備える、
Ｃ１に記載の方法。
［Ｃ８］
前記固定子を、前記固定子の軸方向長さに沿った中間点に配設されるマニホールドプレートを用いて形成することと、前記マニホールドプレートが、複数のポートと、前記ポートおよび前記ギャップと連通する複数の通路とを含む、
前記ギャップを充填するために、前記ポートを通じて前記熱伝導性フィラー化合物を注入することと
をさらに備える、Ｃ１に記載の方法。
［Ｃ９］
前記ポートが前記マニホールドプレートの内周に沿って配設される、Ｃ８に記載の方法。
［Ｃ１０］
前記ポートが前記マニホールドプレートの外周に沿って配設される、Ｃ８に記載の方法。
［Ｃ１１］
熱伝導性フィラー化合物を前記注入することが、それぞれがノズルを有する１対の注入ガンを使用することを備え、前記ノズルが、前記ギャップ内に一回につき１つずつ、前記固定子の両軸方向端から延在される、Ｃ１に記載の方法。
［Ｃ１２］
前記歯の隣接する対間の開口を閉鎖するために、前記ギャップのそれぞれ内に栓を前記配置することが、前記固定子内の概して連続した円周方向内面を成すために、歯の隣接する対の遠位端部と同一平面上にある栓を配置することを備える、Ｃ１に記載の方法。
［Ｃ１３］
固定子の複数の歯の隣接する対間に形成された複数のギャップ内に電気伝導性巻線が巻回された前記固定子内の、熱伝導を改善するための方法であって、前記電気伝導性巻線を前記固定子歯に巻回する間に、前記ギャップの各々内に複数の隙間空間が形成される、方法において、
前記固定子歯の隣接する対間の開口を閉鎖するために、前記ギャップのそれぞれ内に熱伝導性栓を配置することと、
各前記ギャップに、前記固定子の両軸方向端から、前記電気伝導性巻線を少なくとも実質的に封入するとともに各前記ギャップ内の前記隙間空間を少なくとも実質的に充填するのに十分な圧力下で、流動可能な熱伝導性フィラー化合物を注入することと
を含む、方法。
［Ｃ１４］
前記熱伝導性フィラー化合物を凝固させることをさらに備える、Ｃ１３に記載の方法。
［Ｃ１５］
流動可能な熱伝導性フィラーを前記注入することが、流動可能なポリマーを注入することを備える、Ｃ１３に記載の方法。
［Ｃ１６］
前記ギャップのそれぞれ内に熱伝導性栓を配置することが、
前記ギャップに弾性栓を圧力嵌合すること、および
前記ギャップの各々を閉鎖するために、前記固定子の一方の軸方向端から前記固定子歯の遠位端に係合する前記栓をスライド可能に挿入すること
のうちの一方を備える、Ｃ１３に記載の方法。
［Ｃ１７］
流動可能な熱伝導性フィラー化合物を前記注入することが、前記流動可能な熱伝導性フィラー化合物を、前記固定子の前記両軸方向端において同時に注入することを備える、Ｃ１３に記載の方法。
［Ｃ１８］
固定子であって、
円周方向本体部と、
前記円周方向本体部から径方向内側に突出する複数の歯と、前記歯の隣接する対がそれらの間にギャップを形成する、
複数の熱伝導性栓と、前記熱伝導性栓のそれぞれが、歯の各前記隣接する対間の前記ギャップのうちの関連するギャップ内に取り付けられ、前記熱伝導性栓が、前記固定子の、概して平滑な、突出がない円周方向内面を生み出すような様式で取り付けられる、
前記歯に巻き付けられた複数の電気伝導性巻線と、各前記ギャップには、その中に複数の隙間空間が、前記電気伝導性巻線のそれぞれ、および前記歯によって形成された壁部に隣接して形成される、
前記電気伝導性巻線から前記固定子歯への熱の伝導を高めるために前記ギャップの各々内の前記隙間空間を充填するとともに前記電気伝導性巻線を少なくとも実質的に封入する、熱伝導性フィラー化合物と、
を備える、固定子。
［Ｃ１９］
前記熱伝導性フィラー化合物が熱伝導性ポリマーを備える、Ｃ１８に記載の固定子。
［Ｃ２０］
前記栓がそれぞれ、
前記溝のうちの１つに部分的に圧力嵌合されることの可能な弾性栓、および
前記固定子にその一方の軸方向端からスライド可能に挿入されることの可能な栓
のうちの少なくとも一方を備える、Ｃ１８に記載の固定子。
［Ｃ２１］
前記固定子が、複数のポートと、前記複数のポートおよび前記ギャップと連通する複数の通路とを有する環状マニホールドプレートを含み、前記ギャップを充填するために、前記ポートを通じて前記熱伝導性フィラー化合物が注入可能である、Ｃ１８に記載の固定子。
［Ｃ２２］
前記環状マニホールドプレートの前記ポートが前記環状マニホールドプレートの内周に沿って配置される、Ｃ２１に記載の固定子。
［Ｃ２３］
前記環状マニホールドプレートの前記ポートが前記環状マニホールドプレートの外周に沿って配置される、Ｃ１８に記載の固定子。